(57)【特許請求の範囲】
【請求項１】
内部に液体収納空間を有する外筒と、
前記外筒の端部に突出形成され、内部に前記液体収納空間に連通する流路を有する導液部と、
前記導液部の外周に設置され、前記流路を開閉するバルブ機構と、
前記バルブ機構を、前記導液部の軸を中心とした回転により作動させる操作部材とを有する液体注入器具であって、
前記バルブ機構は、前記導液部の外周と前記操作部材との間に設置された筒状の中栓で構成され、該中栓により、前記導液部と前記操作部材との間の液密性が保持されるよう構成されており、
前記中栓は、前記流路と連通して、該流路を開放する導液路と、前記導液部に係合し、該導液部からの離脱を防止する係合部とを有し、
前記中栓は、前記操作部材の回転に伴って回転し、前記流路と前記導液路とが遮断される第１の位置と、前記流路と前記導液路とが連通する第２の位置とに変位し、前記中栓が前記第２の位置のとき、前記流路を介して前記導液路と前記液体収納空間とが連通し、
前記中栓が前記第１の位置にある状態から、前記操作部材を時計周りまたは反時計周りに９０°回転させると、前記操作部材および前記中栓は、前記導液部の軸方向には移動せずに、前記中栓が前記第２の位置に変位するよう構成されていることを特徴とする液体注入器具。
【請求項２】
前記流路の液体収納空間と反対側の端部は、前記導液部の側面に開放する側孔を形成している請求項１に記載の液体注入器具。
【請求項３】
前記導液路および／または前記側孔の位置を示すマーカーを有する請求項２に記載の液体注入器具。
【請求項４】
前記操作部材の前記導液部に対する回転位置を規定するロック手段を有する請求項１ないし３のいずれかに記載の液体注入器具。
【請求項５】
前記ロック手段は、前記操作部材を少なくとも前記第１の位置と第２の位置とに位置決めする機能を有する請求項４に記載の液体注入器具。
【請求項６】
前記操作部材は、その先端部に針管を保持している請求項１ないし５のいずれかに記載の液体注入器具。
【請求項７】
前記操作部材は、前記針管のハブを兼ねる請求項６に記載の液体注入器具。
【請求項８】
前記液体注入器具がプレフィルドシリンジである請求項１ないし７のいずれかに記載の液体注入器具。
【発明の詳細な説明】
【０００１】
【発明の属する技術分野】
本発明は、液体注入器具に関する。
【０００２】
【従来の技術】
予め薬液等を収納したプレフィルドシリンジが知られている。このプレフィルドシリンジは、先端に排出口が設けられた外筒と、この外筒内に挿入されたガスケットと、このガスケットに連結されたプランジャ（押し子）とを備え、外筒とガスケットとで囲まれる空間に薬液が収納されている。
【０００３】
また、排出口からの薬液の漏れ出し、および、薬液の無菌性を保持するために、排出口には、この排出口を液密的に封止するフィルムが貼着されている。
【０００４】
このようなプレフィルドシリンジでは、外筒内の薬液を患者に投与する場合、まず、排出口を封止するフィルムを剥離し、次に、外筒の先端部に針体を備える注射針を装着する。そして、この状態で、針体を患者の血管内に穿刺し、プランジャを外筒の先端方向に向かって押圧して薬液を血管内に注入する。
【０００５】
しかしながら、前記の操作は、大気中でなされるため、フィルムを剥離した後、薬液が細菌等で汚染されたり、薬液中に異物が混入する恐れがあり、また、この操作は、煩雑なものである。
【０００６】
【発明が解決しようとする課題】
本発明の目的は、簡単な構成で、異物の混入や細菌等による汚染が防止できる液体注入器具、さらに、簡単な操作で例えば薬液等の液体を注入する準備を完了することができる液体注入器具を提供することである。
【０００７】
【課題を解決するための手段】
このような目的は、下記（１）〜（８）の本発明により達成される。
【０００８】
（１）  内部に液体収納空間を有する外筒と、
前記外筒の端部に突出形成され、内部に前記液体収納空間に連通する流路を有する導液部と、
前記導液部の外周に設置され、前記流路を開閉するバルブ機構と、
前記バルブ機構を、前記導液部の軸を中心とした回転により作動させる操作部材とを有する液体注入器具であって、
前記バルブ機構は、前記導液部の外周と前記操作部材との間に設置された筒状の中栓で構成され、該中栓により、前記導液部と前記操作部材との間の液密性が保持されるよう構成されており、
前記中栓は、前記流路と連通して、該流路を開放する導液路と、前記導液部に係合し、該導液部からの離脱を防止する係合部とを有し、
前記中栓は、前記操作部材の回転に伴って回転し、前記流路と前記導液路とが遮断される第１の位置と、前記流路と前記導液路とが連通する第２の位置とに変位し、前記中栓が前記第２の位置のとき、前記流路を介して前記導液路と前記液体収納空間とが連通し、
前記中栓が前記第１の位置にある状態から、前記操作部材を時計周りまたは反時計周りに９０°回転させると、前記操作部材および前記中栓は、前記導液部の軸方向には移動せずに、前記中栓が前記第２の位置に変位するよう構成されていることを特徴とする液体注入器具。
【００１３】
（２）  前記流路の液体収納空間と反対側の端部は、前記導液部の側面に開放する側孔を形成している上記（１）に記載の液体注入器具。
【００１４】
（３）  前記導液路および／または前記側孔の位置を示すマーカーを有する上記（２）に記載の液体注入器具。
【００１５】
（４）  前記操作部材の前記導液部に対する回転位置を規定するロック手段を有する上記（１）ないし（３）のいずれかに記載の液体注入器具。
【００１６】
（５）  前記ロック手段は、前記操作部材を少なくとも前記第１の位置と第２の位置とに位置決めする機能を有する上記（４）に記載の液体注入器具。
【００１７】
（６）  前記操作部材は、その先端部に針管を保持している上記（１）ないし（５）のいずれかに記載の液体注入器具。
【００１８】
（７）  前記操作部材は、前記針管のハブを兼ねる上記（６）に記載の液体注入器具。
【００１９】
（８）  前記液体注入器具がプレフィルドシリンジである上記（１）ないし（７）のいずれかに記載の液体注入器具。
【００２０】
【発明の実施の形態】
以下、本発明の液体注入器具を添付図面に示す好適な実施例に基づいて詳細に説明する。なお、以下の説明では、内部に予め液体が収納されている液体注入器具を代表に説明する。また、図の針先の側を先端とし、プランジャの側を基端とする。
【００２１】
図１は、本発明の液体注入器具の部分断面図、図２は、本発明の液体注入器具の先端部の構成（中栓が流路遮断位置にある状態）を示す縦断面図、図３は、図２中のＡ−Ａ線断面図、図４は、図２中のＢ−Ｂ線断面図、図５は、本発明の液体注入器具の先端部の構成（中栓が流路連通位置にある状態）を示す縦断面図、図６は、図５中のＣ−Ｃ線断面図、図７は、図５中のＤ−Ｄ線断面図である。なお、以下の説明では、図１、図２および図５中の上側を「基端」、下側を「先端」という。
【００２２】
図１に示す液体注入器具１は、液体注入器具本体（プレフィルドシリンジ）２と、この液体注入器具本体２の先端部に設置された中栓７と、この中栓７を介して液体注入器具本体２に装着された注射針１０とを備えている。以下、各部の構成について説明する。
【００２３】
液体注入器具本体２は、外筒（シリンジ外筒）３と、外筒３の先端部に突出形成された導液部４と、外筒内で液密に摺動し得るガスケット５と、ガスケット５に連結され、ガスケット５を外筒３内で移動操作するプランジャ（押し子）６とを備えている。
【００２４】
外筒３は、底部３１を有する有底筒状の部材で構成され、後述するガスケット５とで囲まれる部分には、液体収納空間３３が形成されている。
【００２５】
この液体収納空間３３内には、液体Ｑが収納されている。収納される液体Ｑとしては、例えば、ブドウ糖等の糖質注射液、塩化ナトリウムや乳酸カリウム等の電解質補正用注射液、ビタミン剤、ワクチン、抗生物質注射液、造影剤、ステロイド剤、蛋白質分解酵素阻害剤、脂肪乳剤、抗癌剤、麻酔薬、覚せい剤、麻薬のような各種薬液、あるいは、蒸留水、消毒薬、流動食、アルコール等が挙げられる。
【００２６】
外筒３の基端外周には、板状のフランジ３２が設けられている。プランジャ６を外筒３に対し相対的に移動操作する際などには、このフランジ３２に指を掛けて操作を行うことができる。フランジ３２は、外筒３の基端外周に一体成形されていてもよく、または、フランジ３２と外筒３とを、別々に製造して、接合してもよい。
【００２７】
外筒３および後述するプランジャ６のそれぞれの構成材料としては、例えば、環状ポリオレフィン（例えば、エチレンとテトラシクロ［４．４．０．１2.5．１7.10］−３−ドデセン共重合体等）、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミド（例えば、ナイロン６、ナイロン６・６．ナイロン６・１０、ナイロン１２）、ポリエーテルスルホン、ポリスルホンのような各種樹脂が挙げられる。中でも、成形が容易であるという点で、環状ポリオレフィン（例えば、エチレンとテトラシクロ［４．４．０．１2.5 ．１7.10］−３−ドデセン共重合体等）、ポリプロピレン、ポリ−（４−メチルペンテン−１）、ポリエーテルスルホン、ポリスルホンのような樹脂が好ましい。
【００２８】
なお、外筒３の構成材料は、内部の視認性を確保するために、実質的に透明であるのが好ましい。
【００２９】
また、外筒３の先端部には、底部３１の中央部に、外筒３の胴部より縮径し、先端方向に向かって突出した導液部４が一体的に形成されている。
【００３０】
導液部４は、ほぼ筒状をなし、その内部には、液体収納空間３３と連通する流路４１が形成されている。この流路４１の液体収納空間３３と反対側の端部は、導液部４の側面に開放する一対の側孔４２を形成している。これらの側孔４２は、導液部４の軸を介してほぼ反対側に（１８０°間隔で）設置されている。
【００３１】
また、導液部４の先端部外周には、内方に向かって凹没したリング状の凹部４３が形成されている。この凹部４３には、後述する中栓７の係合部７２が係合する。
この導液部４の外周（周辺）には、後述する中栓７が装着（設置）されている。
【００３２】
外筒３内には、弾性材料で構成されたガスケット５が収納されている。ガスケット５は、中空部５１を有し、この中空部５１には、後述するプランジャ６のヘッド部６３が嵌合する。
【００３３】
このガスケット５は、プランジャ６の操作により、外筒３内で、外筒３の軸方向（長手方向）に基端側および先端側のいずれにも摺動することができる。
【００３４】
ガスケット５の外周部には、その軸方向に沿ってリング状の突部５２が形成されていてもよい。この突部５２が外筒３の内周面３４に対し密着しつつ摺動することで、液密性をより確実に保持するとともに、摺動性の向上が図られる。なお、突部５２の形成位置や個数は特に限定されない。
【００３５】
ガスケット５の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３６】
なお、ガスケット５は、その少なくとも外周部が前述のような弾性材料で構成されていれば良く、例えば、樹脂材料で構成された芯部（図示せず）を有し、この芯部の外周を覆うように弾性材料が配置された構成のものでも良い。
【００３７】
また、ガスケット５は、その外周を、例えば、ポリテトラフルオロエチレンまたはその共重合体、エチレン−テトラフルオロエチレン共重合体、四フッ化エチレン、ＰＶＤＦ（ポリビニリデンフロライド）、ＰＣＴＦＥ（ポリクロロトリフルオロエチレン）、ＴＦＥ（テトラフルオロエチレン）、ＦＥＰ（フッ化エチレンプロピレン）等のフッ素樹脂で構成されるフィルムで被覆してもよい。これにより、ガスケット５の外筒３の内周面３４に対する摺動性が向上する。
【００３８】
このようなガスケット５には、ガスケット５を外筒３内で軸方向に移動操作するプランジャ６が連結されている。
【００３９】
図１において、プランジャ６は、横断面が十文字状の板片で構成され、その先端側には、板部材６１が一体的に形成されている。また、プランジャ６の基端には、板状のフランジ６２が設けられている。このフランジ６２を指等を掛けてプランジャ６を操作する。フランジ６２は、プランジャ６の基端部に一体的に形成されていてもよく、または、フランジ６２とプランジャ６を別々に製造して接合してもよい。
【００４０】
また、プランジャ６の先端部には、ガスケット５の中空部５１内に挿入、嵌合されるきのこ状のヘッド部（連結部）６３が形成されている。
【００４１】
導液部４の外周には、ほぼ筒状の中栓７が導液部４の軸を中心として、導液部４に対して相対的に回転可能に設置されている。
【００４２】
この中栓７は、導液部４の流路４１を開閉する機能を有するバルブ機構を構成する。
中栓７には、導液部４の流路４１と連通して、この流路４１を開放する導液路７１が形成されている。この導液路７１は、中栓７の側部途中から形成され、軸方向に沿って中栓７の先端まで延びている。
【００４３】
中栓７は、流路４１と導液路７１とが遮断される第１の位置、すなわち、図２に示す位置（以下、この中栓７の位置を、「流路遮断位置」という。）では、各側孔４２を液密に封止する。これにより、液体収納空間３３内に収納されている液体Ｑは、流路４１を満たすのに止まり、液体注入器具本体２の外部に漏れ出すのが防止される。
【００４４】
一方、中栓７は、流路４１と導液路７１とが連通する第２の位置、すなわち、図５に示す位置（以下、この中栓７の位置を、「流路連通位置」という。）では、導液路７１が流路４１を介して液体収納空間３３と連通し、液体収納空間３３に収納されている液体Ｑを、液体注入器具本体２の外部に排出することが可能となる。
【００４５】
中栓７の先端部内周には、内方に向かって突出したリング状の係合部７２が形成されている。この係合部７２が導液部４の凹部４３に係合することにより、中栓７は、導液部４から離脱する（外れる）のがより確実に防止される。
【００４６】
また、中栓７の先端部外周には、外方に向かって突出したリング状の突部７３が形成されている。この突部７３は、後述するハブ１１の凹部１１２に係合する。
【００４７】
このような中栓７の構成材料としては、中栓７の内周面が導液部４の外周面に密着して、中栓７が流路遮断位置にあるとき、各側孔４２を液密に封止できればいかなるものでもよいが、例えば、ＨＤＰＥ（高密度ポリエチレン）、ＬＤＰＥ（低密度ポリエチレン）、ＰＰ（ポリプロピレン）、ＰＥ（ポリエチレン）等、もしくは、前記のガスケット５で挙げた構成材料と同様なものを用いることができる。
【００４８】
この中栓７の外周には、後述する注射針１０が備えるハブ１１が装着される。すなわち、中栓７は、導液部４とハブ１１との間に設置されている。
【００４９】
注射針１０は、ハブ１１と、このハブ１１の先端部に固着（保持）された針管１２とを有している。
【００５０】
ハブ１１は、ほぼ円筒状の部材で構成され、その内腔部１１１に中栓７が挿入され、ハブ１１の内周面と中栓７の外周面とが密着して、ハブ１１と中栓７とが液密に嵌合している。
【００５１】
このため、例えば、液体注入器具本体２を手等で把持して固定した状態で、他方の手等でハブを把持して、ハブ１１を導液部４の軸を中心として時計周り（または反時計周り）に回転させると、中栓７は、ハブ１１の回転に伴って導液部４の軸を中心として同方向に回転する。これにより、中栓７は、流路遮断位置（第１の位置）と流路連通位置（第２の位置）とに変位する。
【００５２】
すなわち、ハブ１１は、中栓（バルブ機構）７を導液部４の軸を中心とした回転により作動させる操作部材としても機能するものである。
【００５３】
また、ハブ１１には、中栓７の突部７３に係合する凹部１１２がハブ１１の先端部内周に、外方に向かってリング状に凹没して形成されている。この凹部１１２と突部７３とが係合することにより、ハブ１１は、中栓７により確実に（液密に）装着される。よって、ハブ１１（注射針１０）は、中栓７から離脱する（外れる）のがより確実に防止される。
【００５４】
なお、ハブ１１は、中栓７に対して嵌合力によってのみ結合（装着）されていてもよいが、例えば、融着（熱融着、高周波融着、超音波融着等）、接着剤による接着等の方法により固着（固定）されていてもよい。
【００５５】
このハブ１１は、好ましくは透明（無色透明）、着色透明または半透明の樹脂で構成され、内部の視認性が確保されている。これにより、中栓７の導液部７１を外部から視認することができる。
【００５６】
このようなハブ１１の構成材料としては、特に限定されず、ポリエチレン、ポリプロピレン、ポリブタジエン、エチレン−酢酸ビニル共重合体等のポリオレフィン、ポリ塩化ビニル、ポリウレタン、ポリスチレン、ポリメチルメタクリレート、ポリカーボネート、ポリアミド、ポリエチレンテレフタレート、ポリブチレンテレフタレート等のポリエステル、アクリル系樹脂、ＡＢＳ樹脂、ＡＳ樹脂、アイオノマー、ポリアセタール、ポリフェニレンサルファイド、ポリエーテルエーテルケトン等の各種樹脂材料が挙げられる。
【００５７】
このハブの先端部には、中空の針管１２が固着（固定）され、針管１２の内腔１２１は、ハブ１１の内腔部１１１と連通している。
【００５８】
針管１２は、例えば、ステンレス鋼、アルミニウムまたはアルミニウム合金、チタンまたはチタン合金のような金属材料で構成されている。針管１２の先端部には、鋭利な針先１２２が形成されている。この針先１２２の形状は、特に限定されず、図示するように、針管１２の軸線に対し所定角度傾斜した刃面を有する形状をなしていてもよい。
【００５９】
針管１２のハブに対する固着（固定）方法としては、例えば、嵌合、カシメ、融着、接着剤による接着等の方法、あるいはこれらを併用した方法が挙げられる。
【００６０】
また、未使用時の液体注入器具１には、ハブ１１の先端側に、針先１２を被包するキャップＰを装着してもよい。このキャップＰは、危険防止および針管１２の汚染防止の機能を有する。
【００６１】
キャップＰの構成材料としては、例えば、外筒３およびプランジャ６で挙げた構成材料と同様のものを用いることができる。
【００６２】
このような液体注入器具１では、ハブ（操作部材）１１の導液部４に対する回転位置を規定するロック手段８が設けられていてもよい。
【００６３】
本実施形態では、ハブ１１を導液部４の軸を中心として回転操作するのに伴って一体的に（または連動して）、中栓７が導液部４の軸を中心として回転するよう構成されている。したがって、中栓７の導液部４に対する回転位置を規定すれば、ハブ１１の導液部４に対する回転位置も規定される。よって、本実施形態におけるロック手段８は、中栓７の導液部４に対する回転位置を規定するよう構成されている。
【００６４】
以下に、ロック手段８について、図４および図７に基づいて説明する。
中栓７は、その基端部内周に内方に向かって突出して形成された山状凸部８１  を有している。この山状凸部８１は、その横断面形状において頂部８１１が１８０°未満の角度（本実施形態では、ほぼ直角）をなしている。
【００６５】
一方、導液部４の基端部外周には、一対の谷状凹部８２とこれらの間に設けられた谷状凹部８３との合計３つの谷状凹部が、山状凸部８１の形状に対応して形成されている。一対の谷状凹部８２は、それぞれ側孔４２に対応して導液部４の軸を介してほぼ反対側に設置され、谷状凹部８３は、一対の谷状凹部８２のほぼ中間、すなわち、各谷状凹部８２とほぼ９０°をなす位置に設置されている。
これらの山状凸部８１および谷状凹部８２、８３でロック手段８が構成されている。
【００６６】
また、導液部４の基端部には、谷状凹部８３と隣接する谷状凹部８２との間の部分に、それぞれ外径が所定の長さだけ小径に設定された小径部８４が形成されている。これにより、小径部８４の外面８４１と中栓７の基端部内周面との間には、間隙が形成されている。この間隙の幅（図４および図７中径方向の長さ）は、山状凸部８１の高さより短く設定されている。
【００６７】
中栓７は、流路遮断位置にあるとき（図４参照）、山状凸部８１が谷状凹部８３に係合し、その位置が規定されている（位置決めされている）。この状態から、液体注入器具本体２を手で把持して、例えばハブ１１を導液部４の軸を中心として図４中反時計周りにほぼ９０°回転させると、これに伴って中栓７が導液部４の軸を中心として同方向にほぼ９０°回転し、流路連通位置（図７参照）に至り、山状凸部８１が谷状凹部８２に係合する。このように中栓７が流路連通位置となると、山状凸部８１の側面８１２が、谷状凹部８２の上側面８２１に当接するため、中栓７は、導液部４の軸を中心としてそれ以上同方向に回転するのが防止（規制）される。すなわち、中栓７は、流路連通位置に規定される（位置決めされる）。
【００６８】
なお、中栓７が流路遮断位置にある状態から、液体注入器具本体２を手で把持して、ハブ１１を導液部４の軸を中心として図４中時計周りにほぼ９０°回転させることによっても、中栓７を流路連通位置とすることができる。
【００６９】
また、このような液体注入器具１では、中栓７の導液路７１および導液部４の各側孔４２の位置を示すマーカー９を有していてもよい。
【００７０】
図において、マーカー９は、中栓６の基端部外周に導液路７１と対応した位置に形成された溝９１と、外筒３の先端部外周（底部３１付近の外周）に各側孔４２に対応した位置に形成された一対の溝９２とで構成されている。
【００７１】
これにより、例えば液体注入器具１の内部（流路４１、導液路７１等）を視認することが困難な場合であっても、溝９１が溝９２のいずれか一方で一致しているとき（図５参照）には、中栓７が流路連通位置にあることが判り、また、溝９１が各溝９２のいずれとも一致せず、各溝９２からそれぞれほぼ９０°離間しているとき（図２参照）には、中栓７が流路遮断位置にあることが判る。このため、液体注入器具１の操作に際して便利（有利）である。
【００７２】
また、溝９１は、針管１２の針先１２２に形成された刃面の位置とほぼ一致して設けられているのが好ましい。この場合、溝９１は、刃面の位置も示すことができる。したがって、針管１２を例えば患者の血管内に穿刺する操作の際には、溝９１を上方に位置させ、針管１２の刃面を上方に向けて、液体注入器具１を使用することにより、この操作をより確実に行うことができる。
【００７３】
なお、マーカー９は、図示の構成のものに限定されず、導液路７１または側孔４２のいずれか一方のみを示すものであってもよい。
【００７４】
また、外筒３の先端部外周（底部３１付近の外周）には、各側孔４２と直角をなす位置、すなわち、中栓７が流路遮断位置にあることを示すことができる位置を含め、３つの溝を設けてもよい。
【００７５】
また、マーカー９は、溝（溝９１および溝９２）に代わり、例えば、突起、印刷、シボスリット等によるものであってもよい。
【００７６】
さらに、このような液体注入器具１の少なくとも内部は、予め高圧蒸気滅菌、ガス滅菌または放射線滅菌等の滅菌処理が施されているのが好ましい。
【００７７】
また、このような液体注入器具１では、導液部４とハブ１１との双方に嵌合する中栓７を設け、この中栓７の導液路７１と流路４１とを連通させることにより、流路４１を開放するよう構成したので、液体Ｑを液体収納空間３３内から排出する際に、その内部に残存する液体Ｑの量を極めて少なく（例えば、７〜１０μＬ程度）することができる。よって、特に、液体収納空間３３内に、液体Ｑとして高価な薬液を収納するような場合には、この薬液の有効利用を図れるという利点を有する。
【００７８】
また、注射針１０として、既存の製品を使用することができるため、液体注入器具１の製造コストの低減にも有利である。
【００７９】
次に、本発明の液体注入器具１の使用方法の一例を説明する。なお、以下の説明では、患者の血管内に液体Ｑを注入する場合について説明する。
【００８０】
［１］  まず、包材（図示せず）に収納されている液体注入器具１を、包材を開封して取り出す。この状態では、中栓７は、流路４１と導液路７１とが遮断された流路遮断位置（第１の位置）に位置している（図２〜図４参照）。これにより、中栓７は、各側孔４２を液密に封止し、液体収納空間３３および流路４１内の液体Ｑが液体注入器具本体２の外部に漏れ出すのを防止している。
【００８１】
なお、このとき、溝９１と各溝９２とが一致していないので、中栓７が流路遮断位置にあることを容易に認識することができる。
【００８２】
［２］  次に、液体注入器具本体２の外筒３を手で把持して固定し、他方の手で注射針１０のハブ１１を把持し、ハブ１１を導液部４の軸を中心として図３および図４中反時計周りに徐々に回転させると、中栓７は、ハブ１１の回転に伴って、導液部４の軸を中心としてハブ１１と同方向に回転する。このとき、山状凸部８１の頂部８１１は、小径部８４の肩部８４２を乗り越える（図３および図４参照）。これにより、山状凸部８１が谷状凹部８３から離脱し、山状凸部８１と谷状凹部８３との係合が解除される。
【００８３】
［３］  さらに、ハブ１１を導液部４の軸を中心として図３および図４中反時計周りに回転させると、これに伴って中栓７も導液部４の軸を中心として同方向に回転する。このとき、山状凸部８１の頂部８１１は、小径部８４の外面８４１と摺接しつつ、外面８４１に沿って同方向に移動する。このため、ハブ１１を回転させている操作者の手には、回転負荷が作用する。
【００８４】
次いで、頂部８１１が小径部８４の肩部８４３を通過すると、山状凸部８１は、谷状凹部８２内に侵入して、谷状凹部８２に係合する。これにより、中栓７は、流路連通位置（第２の位置）となり、流路４１と導液路７１とが連通する。
【００８５】
このとき、前記の回転負荷が一挙に減少して、ハブ１１を回転操作させている操作者の手には、負荷変化が伝わり（いわゆるクリック感が得られ）、中栓７が流路連通位置となったことを容易に確認することができる。
【００８６】
さらに、このとき、中栓７の溝９１と外筒３の溝９２とが一致するので、これによっても、中栓７が流路連通位置に至ったことを認識することができる。
【００８７】
なお、この状態から、ハブ１１を導液部４の軸を中心として図７中反時計周りに回転させようとしても、山状凸部８１の側面８１２と谷状凹部８２の上側面８２１とが当接するため、中栓７が導液部４の軸を中心として図７中反時計周りに回転するのが防止（規制）される。よって、ハブ１１が導液部４の軸を中心として図７中反時計周り回転するのが防止される。すなわち、ハブ１１は、流路遮断位置にロックされるのが望ましい。
【００８８】
［４］  次に、液体注入器具１からキャップＰを取り外す。これにより、液体注入器具１内の液体Ｑを、患者の血管内に注入する準備が完了する。
【００８９】
［５］  その後、液体注入器具１の針管１２を患者の血管内に穿刺する。これにより、患者の血管内と液体収納空間３３内とが、流路４１、導液部７１および針管１２の内腔１２１等を介して連通する。
【００９０】
［６］  前記工程［５］の状態から、プランジャ６のフランジ６２を指等で先端方向に向かって押圧すると、ガスケット５が先端方向に移動して液体注入空間３３の容積が減少する。これにより、液体Ｑは、流路４１、導液路７１、ハブ１１の内腔部１１１の先端部の空間、針管１２の内腔１２１を順次通過し、患者の血管内に投与（注入）される。
【００９１】
このような液体注入器具１では、（１）ハブ１１を操作して、中栓７を導液部４の軸に対して回転させ、流路４１と導液路７１とを連通する、（２）患者の血管を穿刺する直前にキャップＰを取り外すという２段階の操作を行うだけで、液体注入器具１の内部に収納された液体Ｑを、患者の血管内に注入する準備を完了することができるので、その操作性に優れるものである。また、このような液体注入器具１では、大気中で液体注入器具本体への注射針１０の接続を要しないため、液体Ｑへ異物が混入すること、あるいは液体Ｑが細菌等により汚染されることをより確実に防止することができる。
【００９２】
なお、本実施形態の液体注入器具１では、ハブ１１を導液部４の軸を中心として図３および図４中時計周りに回転させても、前記と同様の作用を生じる。
【００９３】
以上、本発明の液体注入器具を図示の実施形態について説明したが、本発明は、これに限定されるものではなく、液体注入器具を構成する各部は、同様の機能を発揮し得る任意の構成のものと置換することができる。
【００９４】
なお、本発明の液体注入器具は、患者の血管内に液体を注入するのに使用することができるばかりでなく、例えば、用事調整が必要な液体を、例えば輸液バッグやボトル内に配合するのにも使用することができる。
【００９５】
また、本発明の液体注入器具では、液体収納空間内に収納されるものとしては、液体に限定されず、例えば、固体状物質（半固形物を含む）であってもよい。この場合、中栓を流路連通位置とした状態で、プランジャを基端方向に向かって移動して液体収納空間の容積を増大させる。これにより、一旦、液体収納空間内に固体状物質を溶解（または分散）可能な液体（例えば、輸液）を吸引し、固体状物質を溶解（または分散）した後、かかる液体を注入（排出）するようにすればよい。
【００９６】
また、本発明の液体注入器具では、流路の側孔は、導液部の側面に少なくとも１箇所に設けられていればよい。側孔が１箇所のみ設けられる場合には、これに対応して、ロック手段を構成する谷状凹部およびマーカーとして機能する溝等は、それぞれ、１箇所のみ形成されていればよい。
【００９７】
【発明の効果】
以上述べたように、本発明によれば、バルブ機構の開閉を外部から行えるので、例えば薬液等の液体の注入の準備操作に際して、異物の混入や細菌等による汚染が防止できる。さらに、簡単な操作で、前記の準備を完了することができる。
【００９８】
また、ロック手段を設けた場合、バルブ機構の開閉状態を設定し易くなる。
また、マーカーを設けた場合、バルブ機構の開閉状態を確認し易くなる。
【図面の簡単な説明】
【図１】  本発明の液体注入器具の部分断面図である。
【図２】  本発明の液体注入器具の先端部の構成（中栓が流路遮断位置にある状態）を示す縦断面図である。
【図３】  図２中のＡ−Ａ線断面図である。
【図４】  図２中のＢ−Ｂ線断面図である。
【図５】  本発明の液体注入器具の先端部の構成（中栓が流路連通位置にある状態）を示す縦断面図である。
【図６】  図５中のＣ−Ｃ線断面図である。
【図７】  図５中のＤ−Ｄ線断面図である。
【符号の説明】
１            液体注入器具
２            液体注入器具本体
３            外筒
４            導液部
５            ガスケット
６            プランジャ
７            中栓
８            ロック手段
９            マーカー
１０          注射針
１１          ハブ
１２          針管
Ｐ            キャップ
Ｑ            液体
【図１】
0004598359.tif 000002
【図２】
0004598359.tif 000003
【図３】
0004598359.tif 000004
【図４】
0004598359.tif 000005
【図５】
0004598359.tif 000006
【図６】
0004598359.tif 000007
【図７】
0004598359.tif 000008